(57)【要約】【課題】遊技機の前面付近での不正基板が仕込まれての不正行為や、ノイズ信号による誤動作を確実に防止すること。【解決手段】遊技に関わる操作手段としての各左リールストップスイッチ９０、中リールストップスイッチ、右リールストップスイッチ、スタートスイッチが筐体２に開閉自在に取り付けられている前面扉に設けられ、これらの操作手段による操作行為を検知する検知手段としての検知スイッチ５５０が筐体２側に設けられ、これらの操作手段と検知手段との間に設けられている、操作行為伝達手段としての導管５２１に収容されている流体によって、各操作手段による操作行為が伝達されるようにした。【選択図】図４
2010029252.tif 000002
【特許請求の範囲】
【請求項１】
遊技機の前面に設けられ、遊技に関わる操作手段と、
該操作手段による操作行為を流体により伝達する操作行為伝達手段と、
前記遊技機内部に設けられ、前記操作行為伝達手段により伝達された前記操作手段による操作行為を検知する検知手段とを備える
ことを特徴とする遊技機。
【請求項２】
前記流体は、非導電性材料により構成され、さらに道管に収容されていることを特徴とする請求項１に記載の遊技機。
【請求項３】
前記導管は、非導電性部材により構成され、さらに断熱部材によって覆われていることを特徴とする請求項１又は２に記載の遊技機。
【発明の詳細な説明】
【技術分野】
【０００１】
本発明は、遊技の操作に関わる各種操作スイッチを介しての不正行為の防止に適した遊技機に関する。
【背景技術】
【０００２】
遊技機の一種として回胴式遊技機である、たとえばスロットマシンがある。スロットマシンは、複数の図柄が付された回転体としての複数のリールを備え、遊技者がメダルを投入してスタートスイッチを操作することで各リールが回転を開始する。各リールが回転を開始した後、ストップスイッチを操作したり所定時間が経過したりすることで、各リールが順次停止する。
【０００３】
また、スロットマシンでは、メダル（又はコインとも呼ばれている）の投入とスタートスイッチの操作を条件として抽選を行い、その抽選結果が当選であり、かつ予め設定された有効ライン上に遊技者が当選した図柄を停止させることを条件として所定枚数のメダルが払い出されたり、遊技者に有利な特別遊技状態（ボーナスゲーム等）が発生する。
【０００４】
また、このようなスロットマシンでは、ゲームの演出に係る制御を主に行うサブ制御基板と、リールの回転駆動を制御する回胴装置基板と、ベットスイッチ、スタートスイッチ及びストップスイッチによる操作信号を転送する中央表示基板と、各駆動部等への電力供給を制御する電源装置基板とを備え、これらの基板は主制御基板により集中制御されている。
【０００５】
また、主制御基板には、システムプログラムやスロットマシンゲーム用のプログラム等が書き込まれているＲＯＭ（Ｒｅａｄ  Ｏｎｌｙ  Ｍｅｍｏｒｙ）、このＲＯＭから所定のプログラムを読み出して所定の制御を行うＣＰＵ（Ｃｅｎｔｒａｌ  Ｐｒｏｃｅｓｓｉｎｇ  Ｕｎｉｔ）、このＣＰＵによる演算結果等を保持するＲＡＭ（Ｒａｎｄｏｍ  Ａｃｃｅｓｓ  Ｍｅｍｏｒｙ）等の電子素子等が搭載されており、ゲームの進行に合わせそのＲＯＭから読み出したプログラムに基づき、上述した各種基板への制御が行われるようになっている。
【０００６】
ところで、このようなスロットマシンでのたとえばスタートスイッチにあっては、そのスタートスイッチの操作に応じて機械接点式スイッチ（マイクロスイッチ）をオン／オフさせ、このオン／オフによる操作信号を出力させるものが採用されていたが、スタートスイッチの操作方向が一方向に限定されてしまうことから、近年ではスタートスイッチの操作を光学式センサによって検知することでスタートスイッチの操作方向が限定されないようにしたものが主流を占めている。
【０００７】
このような光学式センサによってスタートスイッチの操作に関わるものとして、たとえば特許文献１で提案されているような遊技機が知られている。これは、スタートスイッチはシャフト部を有しており、シャフト部の一端には遊技者が把持し又は叩く等の操作をする略球状の突起部が、シャフト部の他端には円盤状に形成された被検出部材がそれぞれ設けられるとともに、シャフト部の中央部位には弾性部材が設けられており、遊技者が突起部を操作し、その後遊技者が突起部を離した際に、シャフト部を中心位置に復帰させるための弾性部材によりシャフト部が初期位置に復帰するように構成され、さらに、被検出部材に対応するように、上下左右の４箇所に光学式の変位検出部が設けられるようにしたものである。
【０００８】
【特許文献１】特開２００５−１９８７２９号公報
【発明の開示】
【発明が解決しようとする課題】
【０００９】
上述した特許文献１では、スタートスイッチのシャフト部が複数方向に対して変位可能とされ、さらにそのシャフト部の他端に設けた被検出部材が上下左右の４箇所に配置された光学式の変位検出部によって検知されるようになっているため、スタートスイッチの操作方向が限定されないようになっている。
【００１０】
ところが、このような構成では、スタートスイッチのシャフト部を保持する筒状の保持部内に光学式の検知センサである変位検出部を設けるとともに、その保持部がたとえば筐体の開口を閉塞する前面扉の操作パネル部に取り付けられ、その変位検出部による検知結果がハーネスを介して中央表示制御基板に出力される構成となっている。
【００１１】
そのため、その変位検出部による検知結果を出力する信号線であるハーネスが前面扉の背面側、すなわち前面扉に近い位置に配置されることから、そのハーネスに不正基板（ぶら下がり基板と呼ばれている）が仕込まれて、ボーナス（ＢＢ：ビックボーナス、ＲＢ：レギュラーボーナス）等の入賞が誘発され、メダルが不正に抜き取られるような不正行為が行われることがある。
【００１２】
ちなみに、その不正基板には、所定の手順（セット打法と呼ばれている）を実行すると、ボーナス（ＢＢ：ビックボーナス、ＲＢ：レギュラーボーナス）等の入賞が誘発されるような不正なプログラムが書き込まれている。
【００１３】
このような不正行為を防止するためには、上述の変位検出部による検知結果を出力するハーネスが前面扉に近い位置に配置されないようにし、そのハーネスへの不正基板の仕込みを困難とするような対策が考えられる。
【００１４】
この場合、たとえばスタートスイッチの操作行為を検知する変位検出部等の検知手段を前面扉から離れた位置に配置し、そのスタートスイッチの操作行為を任意の操作行為伝達手段よって検知手段に伝達させるような構成が考えられる。
【００１５】
ところが、操作行為伝達手段が導電性を有するものであると、その操作行為伝達手段に上述した不正基板が仕込まれて、メダルが不正に抜き取られるような不正行為が行われてしまったり、ボーナス（ＢＢ：ビックボーナス、ＲＢ：レギュラーボーナス）等の入賞を誘発させるための特殊な電波等が発せられたりすると、その電波により操作行為伝達手段にノイズ信号が流れ、検知手段による検知動作等を誤動作させてしまうおそれもある。
【００１６】
このようなことから、前面扉付近での不正基板が仕込まれての不正行為や、ノイズ信号による誤動作に対する対策が望まれていた。
【００１７】
本発明は、このような状況に鑑みてなされたものであり、遊技機の前面付近での不正基板が仕込まれての不正行為や、ノイズ信号による誤動作を確実に防止することができる遊技機を提供することを目的とする。
【課題を解決するための手段】
【００１８】
本発明の遊技機は、遊技機の前面に設けられ、遊技に関わる操作手段と、該操作手段による操作行為を流体により伝達する操作行為伝達手段と、前記遊技機内部に設けられ、前記操作行為伝達手段により伝達された前記操作手段による操作行為を検知する検知手段とを備えることを特徴とする。
【００１９】
また、前記流体は、非導電性材料により構成され、さらに道管に収容されているようにしてもよい。
【００２０】
また、前記導管は、非導電性部材により構成され、さらに断熱部材によって覆われているようにしてもよい。
【００２１】
本発明の遊技機では、遊技に関わる操作手段が遊技機の前面に設けられ、操作手段による操作行為を検知する検知手段が遊技機内部に設けられ、操作手段と検知手段との間に設けられている、操作行為伝達手段の流体によって、操作手段による操作行為が伝達される。
【００２２】
この場合、検知手段が遊技機の前面から遠い位置に配置されるとともに、操作行為伝達手段による検知手段への操作行為の伝達が流体によって行われることで、検知手段からの検知結果を出力する信号線への不正基板の仕込みや、操作行為伝達手段への特殊な電波等によるノイズ信号の進入が困難となる。
【発明の効果】
【００２３】
本発明の遊技機によれば、検知手段が遊技機の前面から遠い位置に配置されるとともに、操作行為伝達手段による検知手段への操作行為の伝達が流体によって行われることにより、検知手段からの検知結果を出力する信号線への不正基板の仕込みや、操作行為伝達手段への特殊な電波等によるノイズ信号の進入が困難となるようにしたので、遊技機の前面付近での不正基板が仕込まれての不正行為や、ノイズ信号による誤動作を確実に防止することができる。
【発明を実施するための最良の形態】
【００２４】
本実施形態では、遊技に関わる操作手段が遊技機の前面に設けられ、操作手段による操作行為を検知する検知手段が遊技機内部に設けられ、操作手段と検知手段との間に設けられている、操作行為伝達手段の流体によって、操作手段による操作行為が伝達されるようにした。
【００２５】
この場合、検知手段が遊技機の前面から遠い位置に配置されるとともに、操作行為伝達手段による検知手段への操作行為の伝達が流体によって行われることにより、検知手段からの検知結果を出力する信号線への不正基板の仕込みや、操作行為伝達手段へのボーナス（ＢＢ：ビックボーナス、ＲＢ：レギュラーボーナス）等の入賞を誘発させるための特殊な電波等によるノイズ信号の進入が困難となることから、前面扉付近での不正基板が仕込まれての不正行為や、ノイズ信号による誤動作を確実に防止することができるようになる。
【００２６】
また、流体が非導電性材料により構成され、さらに導管に収容されているようにすると、操作行為伝達手段への特殊な電波等によるノイズ信号の進入が阻止され、そのノイズ信号による誤動作が防止されることになる。
【００２７】
また、流体を収容する導管が非導電性部材により構成され、さらに断熱部材によって覆われているようにすると、上記同様に、操作行為伝達手段への特殊な電波等によるノイズ信号の進入が阻止されるとともに、筐体内部の温度が上昇しても、導管に収容されている流体へ熱が伝わりにくくなり、流体の体積膨張等によって操作手段による検知手段への操作行為の伝達が誤って行われることも無くなる。
【実施例】
【００２８】
以下、本発明の実施例の詳細について説明する。図１は本発明の遊技機である回胴式遊技装置の一実施例を示す正面図、図２は図１の遊技機のストップスイッチユニットを拡大して示す正面図、図３は図１の遊技機の内部を示す正面図である。
【００２９】
これらの図に示すように、回胴式遊技装置であるスロットマシン１は、遊技者側に面する、いわゆるフロントマスクを構成する前面扉３が略矩形状の箱体である筐体２の開口側に対し、蝶番機構２ａにより左側端部側を回動支点として開閉可能に取り付けられている。前面扉３は、上部パネル部３Ａ、中部パネル部３Ｂ、操作パネル部３Ｃ及び下部パネル部３Ｄに概ね分けられ、これらは化粧板として視覚効果を高めてデザインされた硬質プラスチックにより一体的に形成されている。
【００３０】
筐体２の内部には、スロットマシン１全体の動作を統括制御する主制御基板３００と、３個の円筒状の回転リールである左リール６１１、中リール６１２、右リール６１３を備える回胴装置６１０と、スロットマシン１の各部に電力を供給するための電源装置７５０と、ゲームの入賞に応じてメダルの払い出しを行うメダル排出スリット７１１を有するホッパ装置７１０と、ホッパ装置７１０から溢れたメダルを収納する補助貯留部７８０等とが設けられている。
【００３１】
ここで、回胴装置６１０は、主制御基板３００からの回転駆動開始制御信号や回転駆動停止制御信号等を受ける後述のリール基板６００によって各左リール６１１、中リール６１２、右リール６１３の回転や回転停止が制御されるようになっている。また、回胴装置６１０は、筐体２の内部に取り付けられている台座６８０に対し引き出し及び押し戻し自在に載置されている。また、各左リール６１１、中リール６１２、右リール６１３は、それぞれの周面を一方向（遊技者側）に向けて並設されている。
【００３２】
また、筐体２の内部に設けられている電源装置７５０のたとえば側面には、いわゆる配電盤に相当する後述の電源装置基板７００が設けられている。この電源装置基板７００には、電源装置７５０で発生される各種電源電圧を回胴装置６１０やホッパ装置７１０等の各所に配電する配電回路が形成されており、かかる配電回路からスロットマシン１の動作に必要なシステム電源を供給する。
【００３３】
また、前面扉３は、筐体２の開口を閉塞する位置で、操作パネル部３Ｃに設けられている鍵穴４を有する図示しない施錠装置によりロックされ、ホールスタッフ等が主制御基板３００上の各電子素子等の状態の確認を含むメンテナンス作業や設定値変更等に伴う出玉管理作業等を行う場合、前面扉３の鍵穴４に専用鍵を差し込んでそのロックを解除すると、前面扉３が開放されるようになっている。
【００３４】
前面扉３の上部パネル部３Ａには、遊技に伴った演出を行う演出表示部１００が取り付けられている。演出表示部１００には、たとえばゲームの進行に応じた動画像等を表示する液晶表示部１０１と、この液晶表示部１０１を覆う表示パネル１０２と、これらの液晶表示部１０１及び表示パネル１０２を覆うクリアパネル１０２ａとが設けられている。表示パネル１０２は、中央部に液晶表示部１０１を視認可能とする略長方形の透明窓１０３を有している。
【００３５】
また、演出表示部１００には、高輝度発光ダイオード（ＬＥＤ）等を内蔵し、意匠的に遊技者の視覚に訴える形状及び色彩、模様、絵柄等を施してデザイン設計された複数の演出用ランプ１０４〜１０８と、演出用の効果音を発するスピーカ１０９ａ，１１０ａを有する放音部１０９，１１０とが設けられている。
【００３６】
そして、前面扉３の上部パネル部３Ａの背面に設けられている後述の演出制御基板４１０と画像音響生成基板４２０とを有するサブ制御基板４００に、主制御基板３００から演出開始を示唆する制御信号が供給されると、そのサブ制御基板４００により液晶表示部１０１による動画像等の表示と、演出用ランプ１０４〜１０８による点滅又は点灯によっての演出と、放音部１０９，１１０からの効果音による演出等が行われるようになっている。なお、たとえば演出用ランプ１０５，１０６の構成、及び高輝度発光ダイオード（ＬＥＤ）等による点滅又は点灯によっての演出の詳細については後述する。
【００３７】
前面扉３の中部パネル部３Ｂには、回胴装置６１０の各左リール６１１、中リール６１２、右リール６１３の確認を行える確認窓２０１を有するパネル２０２を備えたメイン演出部２００が設けられている。また、メイン演出部２００の下方には、貯留枚数表示器２１０、遊技進行表示器２２０、払出枚数表示器２３０が設けられている。これらの貯留枚数表示器２１０、遊技進行表示器２２０、払出枚数表示器２３０は、７セグメントＬＥＤを有し、０〜９までの１０通りの表示が可能となっている。
【００３８】
貯留枚数表示器２１０には、遊技停止中にメダルをクレジット（最大５０枚まで）する際、後述のメダル投入部６から連続投入されたメダルの枚数が最大５０までの数字で表示されるようになっている。
【００３９】
遊技進行表示器２２０には、遊技者に有利な特別遊技状態（ビックボーナス、レギュラーボーナス）が発生した際、その特別遊技状態の残りゲーム数等が数字で表示されるようになっている。
【００４０】
払出枚数表示器２３０には、回胴装置６１０の各左リール６１１、中リール６１２、右リール６１３の停止に伴い、その有効ライン上に揃った図柄に応じてのメダルの払い出しの枚数が数字で表示されるようになっている。また、払出枚数表示器２３０は、スロットマシン１でのたとえば出玉率（メダルの払出率）を決定する際の設定値を表示するものとして兼用されている。
【００４１】
また、中部パネル部３Ｂの両側には、光表示器としての高輝度発光ダイオード（ＬＥＤ）等を内蔵したサイドランプ５０ａ，５０ｂが配置されている。これらのサイドランプ５０ａ，５０ｂは、リーチや大当たり等の際に点灯又は点滅して遊技者の視覚に訴える演出を行うものである。
【００４２】
前面扉３の操作パネル部３Ｃには、ゲームに使用するメダルを投入するための投入口を有するメダル投入部６と、メダルを１枚ずつベットするベットスイッチ７ａと、メダルを一度に３枚ベットするＭＡＸベットスイッチ７と、ゲームの操作を指示する操作ノブ８ａを有するスタートスイッチ８と、演出表示部１００の各左リール６１１、中リール６１２、右リール６１３をストップさせる左リールストップスイッチ９０、中リールストップスイッチ９１、右リールストップスイッチ９２を有するストップスイッチユニット９Ａ等とが設けられている。
【００４３】
ベットスイッチ７ａ及びＭＡＸベットスイッチ７は、スロットマシン１のゲームに賭けるメダルの枚数を提示するための押圧式の操作スイッチである。メダルがクレジットされているとき、ゲーム開始時にベットスイッチ７ａ又はＭＡＸベットスイッチ７を操作すると、そのクレジットされているメダルのうち１枚、２枚又は３枚がベットされるようになっている。このとき、上述した貯留枚数表示器２１０に表示される枚数がベットスイッチ７ａ又はＭＡＸベットスイッチ７の操作に応じて減算されて表示される。
【００４４】
スタートスイッチ８は、演出表示部１００の各左リール６１１、中リール６１２、右リール６１３を一斉に回転させる指示をするためのレバースイッチであり、先端に設けられている球形の操作ノブ８ａを上下左右のいずれかの方向に傾倒操作するとオン作動し、その操作ノブ８ａから手が離されるとスプリングの付勢力によって自動的に元の位置に戻ってオフするように構成されている。
【００４５】
ここで、スタートスイッチ８による操作行為である、回胴装置６１０の左リール６１１、中リール６１２、右リール６１３の回転開始のための行為は、後述の操作行為伝達機構５６０によって検知スイッチ５９０に伝達されるようになっているが、その詳細については後述する。
【００４６】
左リールストップスイッチ９０、中リールストップスイッチ９１、右リールストップスイッチ９２は、回胴装置６１０の各左リール６１１、中リール６１２、右リール６１３の回転停止を個別に指示するための押圧式スイッチであり、各左リール６１１、中リール６１２、右リール６１３の配列に対応してそれぞれ並設されている。
【００４７】
ここで、各左リールストップスイッチ９０、中リールストップスイッチ９１、右リールストップスイッチ９２による操作行為である、回胴装置６１０の左リール６１１、中リール６１２、右リール６１３の停止行為は、後述の操作行為伝達機構５２０によって検知スイッチ５５０に伝達されるようになっているが、その詳細についても後述する。
【００４８】
また、前面扉３の操作パネル部３Ｃの背面には、操作パネル部３Ｃのベットスイッチ７ａ、ＭＡＸベットスイッチ７、スタートスイッチ８、左リールストップスイッチ９０、中リールストップスイッチ９１、右リールストップスイッチ９２等の各種操作スイッチが電気的に接続された中央表示基板５００が設けられており、これらのスイッチの出力信号が中央表示基板５００から主制御基板３００に転送されるようになっている。
【００４９】
また、中央表示基板５００には、開閉自在なカバー（図示省略）によって覆われている設定スイッチ５０１が設けられている。この設定スイッチ５０１は、スロットマシン１の出玉率（メダルの払出率）を決定する際の設定値を変更する場合に操作されるものであって、設定スイッチ５０１の操作に応じて払出枚数表示器２３０に設定値が表示される。
【００５０】
前面扉３の下部パネル部３Ｄには、スロットマシン１のモデルタイプ等を遊技者へ認識させるため、たとえば登場キャラクタの絵等を表示するパネル１０が設けられている。
【００５１】
下部パネル部３Ｄの下方には、入賞時等においてメダルを排出するメダル排出口１２を有する受皿ユニット１１と、スピーカ１３ａ，１３ｂを内蔵しゲームの進行に応じて演出効果音を発生させる演出効果音部１３，１４と、灰皿１５等とがそれぞれ配設されている。
【００５２】
また、前面扉３の下部パネル部３Ｄの背面には、メダル投入部６より投入される投入物を正規のメダルか異物かを判別して振り分けるセレクタ５１０と、このセレクタ５１０で振り分けられたメダルを筐体２内に設けられているホッパ装置７１０へ案内するホッパガイド部材５１１と、セレクタ５１０で振り分けられた異物をメダル排出口１２へ案内するガイド部材５１２と、ホッパ装置７１０のメダル排出スリット７１１から排出されたメダルを受皿ユニット１１のメダル排出口１２側にガイドする払出ガイド部材５１３とが設けられている。
【００５３】
なお、セレクタ５１０は、たとえばスロットマシン１での回胴装置６１０の各メインリール６１１，６１２，６１３の回転中やリプレイ入賞時等でのメダルの受付不可時に、メダル投入部６から投入された後述のメダルをガイド部材５０２側に振り分けるようになっている。そして、ガイド部材５０２側に振り分けられたメダルはメダル排出口１２側から排出されるようになっている。
【００５４】
図３は、スロットマシン１に設けられている制御システムを説明するためのブロック図である。制御システムは、主として主制御基板３００、サブ制御基板４００、中央表示基板５００、リール基板６００、電源装置基板７００を備え、それぞれが配線ケーブルによって接続されている。  
【００５５】
主制御基板３００には、メインＣＰＵ３０１、乱数発生器３０２、ＲＯＭ３０３、ＲＡＭ３０４、Ｉ／Ｆ（インタフェース）回路３０５等が設けられている。
【００５６】
メインＣＰＵ３０１は、ＲＯＭ３０２に予め記憶されているシステムプログラムやスロットマシンゲーム用のプログラム等を読み込み、ゲームの進行に合わせた所定の演算処理を行って、サブ制御基板４００、リール基板６００、中央表示基板５００、電源装置基板７００等に対する分散制御を行うための所定のコマンドを出力する。
【００５７】
乱数発生器３０２は、役抽選のための乱数を発生させる、主としてカウンタからなり、電源が投入されている間、常時０〜６５５３５の数値を発生させ、所定の契機（遊技者の操作）に基づいて１つの数値が乱数値として出力（ラッチ）される。
【００５８】
ＲＯＭ３０３は、システムプログラムやスロットマシンゲーム用のプログラム等を記憶しているものであり、役の抽選処理に用いる役抽選テーブルや、回転リールの停止制御に用いる停止位置決定テーブル等を記憶している。
【００５９】
ＲＡＭ３０４は、メインＣＰＵ３０１によって実行されるシステムプログラム、スロットマシンゲーム用のプログラムや、メインＣＰＵ３０１による演算結果等を一時的に記憶する。
【００６０】
Ｉ／Ｆ（インタフェース）回路３０５は、サブ制御基板４００、中央表示基板５００、リール基板６００、電源装置基板７００間でのコマンドの送受信を行う。
【００６１】
サブ制御基板４００は、主として演出を制御するものであり、演出制御基板４１０と画像音響生成基板４２０とを有している。演出制御基板４１０は、主として演出時にサイドランプ５０ａ，５０ｂや演出用ランプ１０４〜１０８を点灯させる制御を行うものであり、Ｉ／Ｆ（インタフェース）回路４１１、サブＣＰＵ４１２、乱数発生器４１３、ＲＯＭ４１４、ＲＡＭ４１５を有している。
【００６２】
Ｉ／Ｆ（インタフェース）回路４１１は、主制御基板３００のＩ／Ｆ（インタフェース）回路３０５からのコマンドの受信を行う。サブＣＰＵ４１２は、ＲＯＭ４１４に予め記憶されている演出用のプログラム等を読み込み、主制御基板３００からの演出開始を示すコマンド等に基づいて所定の演算を行い、その演算結果を画像制御ＩＣ４２１や音源ＩＣ４２４に与える。
【００６３】
乱数発生器４１３は、演出抽選のための乱数を発生させる、主としてカウンタからなり、電源が投入されている間、常時０〜６５５３５の数値を発生させ、主制御基板３００からのコマンドに基づいて１つの数値が乱数値として出力（ラッチ）される。ＲＯＭ４１４は、演出用のプログラム等を記憶しているものであり、演出の抽選処理に用いる演出抽選テーブル等を記憶している。ＲＡＭ４１５は、サブＣＰＵ４１２によって実行される演出用のプログラムや、サブＣＰＵ４１２による演算結果等を一時的に記憶する。
【００６４】
画像音響生成基板４２０は、主として演出時に表示や音を制御するものであり、画像制御ＩＣ４２１、画像ＲＯＭ４２２、ビデオＲＡＭ４２３、音源ＩＣ４２４、音源ＲＯＭ４２５、アンプ４２６を有している。
【００６５】
画像制御ＩＣ４２１は、画像ＲＯＭ４２２から画像に関するプログラムやデータを読み込み、液晶表示部１０１に画像を表示させるための画像データを生成する。画像ＲＯＭ４２２は、演出で用いる画像に関するプログラムやデータを記憶するものであり、主としてキャラクタ等の画像のデータを記憶している。ビデオＲＡＭ４２３は、演出を実行するためのプログラムやデータを一時的に記憶するものであり、主に画像データを合成して生成させるための作業エリアとされる。
【００６６】
音源ＩＣ４２４は、音源ＲＯＭ４２５から音声に関するプログラムやデータを読み込み、スピーカ１３ａ，１３ｂ，１０９ａ，１１０ａを駆動させるための音声信号を生成する。音源ＲＯＭ４２５は、演出を実行するためのプログラムやデータを記憶するものであり、主として音声に関するプログラムやデータを記憶している。アンプ４２６は、音源ＩＣ４２４からの音声信号を増幅してスピーカ１３ａ，１３ｂ，１０９ａ，１１０ａに出力する。
【００６７】
中央表示基板５００には、設定スイッチ５０１、精算スイッチ５０２、セレクタ５１０、ベットスイッチ７ａ、ＭＡＸベットスイッチ７、スタートスイッチ８、左リールストップスイッチ９０、中リールストップスイッチ９１、右リールストップスイッチ９２、操作行為伝達機構５２０，５６０、検知スイッチ５５０，５９０が接続されている。
【００６８】
設定スイッチ５０１は、上述したように、スロットマシン１の出玉率（メダルの払出率）を決定する際の設定値を変更する場合に操作されるものである。精算スイッチ５０２は、メダルの投入や、小役等の入賞により獲得したメダルをスロットマシン１内で貯留し、その貯留されたメダルをスロットマシン１外へ払い出させるためのスイッチである。
【００６９】
セレクタ５１０は、上述したようにメダル投入部６より投入される投入物を正規のメダルか異物かを判別して振り分けるものである。ベットスイッチ７ａは上述したようにメダルを１枚ずつベットするものであり、ＭＡＸベットスイッチ７は上述したようにメダルを一度に３枚ベットするものである。スタートスイッチ８は、上述したように各左リール６１１、中リール６１２、右リール６１３を一斉に回転させる指示をするためのレバースイッチである。
【００７０】
左リールストップスイッチ９０、中リールストップスイッチ９１、右リールストップスイッチ９２は、上述したように各左リール６１１、中リール６１２、右リール６１３を停止させるためのものである。
【００７１】
操作行為伝達機構５２０は、上述した各左リールストップスイッチ９０、中リールストップスイッチ９１、右リールストップスイッチ９２による操作行為である、回胴装置６１０の左リール６１１、中リール６１２、右リール６１３の停止行為を、検知スイッチ５５０に伝達する。
【００７２】
検知手段である検知スイッチ５５０は、操作行為伝達機構５２０によって伝達される各左リールストップスイッチ９０、中リールストップスイッチ９１、右リールストップスイッチ９２による操作行為を検知する。なお、検知スイッチ５５０は、各左リールストップスイッチ９０、中リールストップスイッチ９１、右リールストップスイッチ９２のそれぞれに対応させて設けられている。
【００７３】
操作行為伝達機構５６０は、上述したスタートスイッチ８による操作行為である、回胴装置６１０の左リール６１１、中リール６１２、右リール６１３の回転開始のための行為を、検知スイッチ５９０に伝達する。
【００７４】
検知手段である検知スイッチ５９０は、操作行為伝達機構５６０によって伝達されるスタートスイッチ８による操作行為を検知する。
【００７５】
なお、これらの操作行為伝達機構５２０，５６０には、たとえば流体移動検出センサを設けておき、各左リールストップスイッチ９０、中リールストップスイッチ９１、右リールストップスイッチ９２による操作行為や、スタートスイッチ８による操作行為に応じて流体移動検出センサによる検出結果が得られるようにすることができる。このように、流体移動検出センサによる検出結果が得られるようにすると、たとえば流体移動検出センサによる検出結果が無いにも関わらず、上述した検知スイッチ５５０，５９０のいずれかによる検知が有るとき、そのいずれかの検知スイッチ５５０，５９０に誤動作が生じていることを認識することが可能となる。
【００７６】
リール基板６００には、左リールモータ６０１、中リールモータ６０２、右リールモータ６０３、リールセンサ（左リール）６０４、リールセンサ（中リール）６０５、リールセンサ（右リール）６０６、外部集中端子６９０、ドアスイッチ４ａが接続されている。
【００７７】
左リールモータ６０１、中リールモータ６０２、右リールモータ６０３は、各左リール６１１、中リール６１２、右リール６１３の加速、減速、停止を行うステッピングモータである。リールセンサ（左リール）６０４、リールセンサ（中リール）６０５、リールセンサ（右リール）６０６は、各左リール６１１、中リール６１２、右リール６１３の回転角度位置を検出するものである。
【００７８】
外部集中端子６９０は、メダル払出、メダル投入等の遊技情報に関する信号と、ドア開放、設定変更、投入エラー、払出エラー等のセキュリティに関する信号とを受信し、ホールコンピュータに出力するものである。ドアスイッチ４ａは、ドア開閉スイッチ信号を送信するものである。
【００７９】
電源装置基板７００には、ホッパ装置７１０、リセットスイッチ７５１、電源スイッチ７５２、設定変更有効化スイッチ７５３が接続されている。ホッパ装置７１０は、上述したようにゲームの入賞に応じてメダルの払い出しを行うものである。リセットスイッチ７５１は、エラー信号等の出力を停止させ、エラー状態から復旧させるためのリセットスイッチ信号を出力する。電源スイッチ７５２は、スロットマシン１全体に電源を供給する際に操作するものである。
【００８０】
設定変更有効化スイッチ７５３は、上述した設定スイッチ５０１の操作を有効化するための設定変更有効化信号を送信する。
【００８１】
次に、図４及び図５を参照し、上述したストップスイッチユニット９Ａの各左リールストップスイッチ９０、中リールストップスイッチ９１、右リールストップスイッチ９２の操作行為を伝達する操作行為伝達機構５２０の詳細について説明する。ここで、図４は各左リールストップスイッチ９０、中リールストップスイッチ９１、右リールストップスイッチ９２による操作が行われる前の状態を示す断面図であり、図５は各左リールストップスイッチ９０、中リールストップスイッチ９１、右リールストップスイッチ９２による操作が行われた状態を示す断面図である。
【００８２】
なお、以下においては、ストップスイッチユニット９Ａの各左リールストップスイッチ９０、中リールストップスイッチ９１、右リールストップスイッチ９２に対応する操作行為伝達機構５２０の構成がほぼ同じであるため、説明の都合上、左リールストップスイッチ９０の操作行為伝達機構５２０を代表して説明するものとする。
【００８３】
まず、図４に示すように、操作行為伝達機構５２０は、操作行為伝達手段である流体５２０ａを収容する導管５２１と、その流体５２０ａの移動によって左リールストップスイッチ９０による操作行為を検知する検知スイッチ５５０とを備えている。
【００８４】
導管５２１の胴体部５２１ａの一端側には流体５２０ａを圧送する流体圧送部５３０が設けられ、その胴体部５２１ａの他端側には圧送された流体５２０ａを受ける流体圧受部５４０が設けられている。なお、導管５２１内部の流体５２０ａにあっては、非導電性材料よりなる液体や気体であってもよい。また、導管５２１は、樹脂等の非導電性部材により構成することができる。このように、流体５２０ａを非導電性材料とし、導管５２１を非導電性部材により構成すると、導管５２１へのボーナス（ＢＢ：ビックボーナス、ＲＢ：レギュラーボーナス）等の入賞を誘発させるための特殊な電波等によるノイズ信号の進入が無くなる。
【００８５】
また、導管５２１に不正基板（ぶら下がり基板と呼ばれている）が仕込まれても、左リールストップスイッチ９０と検知スイッチ５５０との間が電気的に絶縁されているため、ボーナス（ＢＢ：ビックボーナス、ＲＢ：レギュラーボーナス）等の入賞が誘発されて、メダルが不正に抜き取られるような不正行為が行われることもない。しかも、ボーナス（ＢＢ：ビックボーナス、ＲＢ：レギュラーボーナス）等の入賞を誘発させるための特殊な電波等によるノイズ信号の進入が困難となることから、ノイズ信号による検知スイッチ５３０の誤動作が生じることもない。
【００８６】
また、胴体部５２１ａは、断熱部材５２１ｂによって覆われている。このように、胴体部５２１ａを断熱部材５２１ｂによって覆うことにより、筐体２内部の温度が上昇しても、胴体部５２１ａ内の流体５２０ａへ熱が伝わりにくくなり、流体５２０ａの体積膨張等が生じにくくなる。
【００８７】
胴体部５２１ａの一端側の流体圧送部５３０は、ストップスイッチユニット９Ａの背面側の取付板９３にビス５３１を介して取り付けられたケース体５３２に収容されている。ケース体５３２の挿通穴５３３には導管５２１の胴体部５２１ａがシール部材５３４を介して挿通されている。これにより、ケース体５３２内部が密閉され、埃等の進入が阻止されるようになっている。また、流体圧送部５３０がケース体５３２に収容されることで、外部から不正に流体圧送部５３０が操作されてしまうおそれも無くなる。
【００８８】
なお、ケース体５３２は断熱性を有するもので構成することができる。このように、ケース体５３２を断熱性を有するもので構成すると、筐体２内部の温度が上昇しても、流体圧送部５３０内の流体５２０ａへ熱が伝わりにくくなり、流体５２０ａの体積膨張等が生じにくくなり、検知スイッチ５５０が誤ってオンされることも無くなる。
【００８９】
また、流体圧送部５３０には、ピストン軸５３５の一端に取り付けられた弁５３６が収容されている。ピストン軸５３５は、取付板９３の挿通穴９４に進退自在に挿通されている。また、ピストン軸５３５の他端は、左リールストップスイッチ９０のコイルバネ９０ａによって突出する方向に付勢される操作子９０ｂの背面側の中心部分に当接している。なお、ピストン軸５３５の他端は、操作子９０ｂの背面側の中心部分に固着されているようにしてもよい。
【００９０】
一方、胴体部５２１ａの他端側の流体圧受部５４０は、筐体２のたとえば背面（背板）の空きスペースに配置されている。なお、流体圧受部５４０は、背面（背板）の空きスペースに限らず、筐体２の左右上下面（側板）のいずれかの空きスペースに配置されていてもよい。
【００９１】
また、その流体圧受部５４０は、筐体２のたとえば背面（背板）にビス５４１を介して取り付けられたケース体５４２に収容されている。ケース体５４２の挿通穴５４３には導管５２１の胴体部５２１ａがシール部材５４４を介して挿通されている。これにより、ケース体５４２内部が密閉され、埃等の進入が阻止されるようになっている。また、流体圧受部５４０がケース体５４２に収容されることで、外部から不正に流体圧受部５４０が操作されてしまうおそれも無くなる。
【００９２】
なお、ケース体５４２は上記同様に、断熱性を有するもので構成することができる。このように、ケース体５４２を断熱性を有するもので構成すると、筐体２内部の温度が上昇しても、流体圧受部５４０内の流体５２０ａへ熱が伝わりにくくなり、流体５２０ａの体積膨張等が生じにくくなり、検知スイッチ５５０が誤ってオンされることも無くなる。
【００９３】
また、流体圧受部５４０には、ピストン軸５４５の一端に取り付けられた弁５４６が収容されている。弁５４６は、バネ５４７によって流体圧受部５４０内部に押し込まれる方向に付勢されている。
【００９４】
ピストン軸５４５の他端は、ケース体５４２によって覆われるとともに、筐体２のたとえば背面（背板）に取り付けられた検知スイッチ５５０のスイッチ片５５１に当接している。ここで、検知スイッチ５５０は機械式となっているが、これに限らず、発光部及び受光部を有する光学式等の他のセンサであってもよい。
【００９５】
このような構成では、左リールストップスイッチ９０への操作（押圧）が行われていないとき、その操作子９０ｂがコイルバネ９０ａによって突出する方向に付勢されていることで、ピストン軸５３５への押圧が無いことから、流体圧送部５３０からの流体圧送が生じないことになる。
【００９６】
これに対し、図５に示すように、左リールストップスイッチ９０への操作（押圧）が行われると、その操作子９０ｂがコイルバネ９０ａの付勢力に抗して押し込まれる。このとき、ピストン軸５４５も押し込まれることで、ピストン軸５３５の一端に取り付けられている弁５３６の移動により、流体圧送部５３０の内圧が高められ、胴体部５２１ａ内の流体５２０ａが矢印方向である流体圧受部５４０側に移動する。
【００９７】
このとき、流体圧受部５４０の内圧が高められることで、弁５４６を取り付けているピストン軸５４５がバネ５４７の付勢力に抗して矢印方向に移動する。これに伴い、ピストン軸５４５の他端が検知スイッチ５５０側に移動し、そのスイッチ片５５１を押し込むことにより、検知スイッチ５５０がオンする。この検知スイッチ５５０のオンにより、左リールストップスイッチ９０の操作行為が検知される。
【００９８】
そして、左リールストップスイッチ９０への操作（押圧）を解くと、その操作子９０ｂがコイルバネ９０ａの付勢力によって押し戻される。このとき、流体圧送部５３０のピストン軸５４５への押圧が解かれるため、ピストン軸５３５の一端に取り付けられている弁５３６による流体圧送部５３０の内圧上昇が解かれる。
【００９９】
これにより、流体圧送部５３０から流体圧受部５４０への流体５２０ａの圧も解かれることで、ピストン軸５４５に取り付けられている弁５４６がバネ５４７の付勢力により押し戻される。このとき、ピストン軸５４５の他端が検知スイッチ５５０のスイッチ片５５１から離れることで、検知スイッチ５５０がオフする。
【０１００】
また、ピストン軸５４５に取り付けられている弁５４６がバネ５４７の付勢力により押し戻されることで、流体圧受部５４０から流体圧送部５３０への流体５２０ａの圧が高まり、ピストン軸５３５の一端に取り付けられている弁５３６が図４に示す定位置に戻される。
【０１０１】
このように、たとえば左リールストップスイッチ９０による操作行為は、流体圧送部５３０から流体圧受部５４０への流体５２０ａの圧の変化に応じた検知スイッチ５３０の検出で行われるため、左リールストップスイッチ９０と検知スイッチ５５０との間は電気的に結合されていないことになる。そのため、上述したように、たとえば不正なプログラムが書き込まれている不正基板が操作行為伝達機構５２０に仕込まれても、その不正基板からの信号が操作行為伝達機構５２０を介して主制御基板３００側に伝達されることは無いので、メダルが不正に抜き取られるような不正行為が困難となる。
【０１０２】
次に、図６〜図１０を参照し、上述したスタートスイッチ８による操作行為である、回胴装置６１０の左リール６１１、中リール６１２、右リール６１３の回転開始のための行為を伝達する操作行為伝達機構５６０の詳細について説明する。ここで、図６はスタートスイッチ８による操作が行われる前の状態を示す断面図であり、図７は図６のＡ部分を拡大して示す断面図であり、図８は図７のスタートスイッチ８を分解して示す斜視図であり、図９及び図１０はスタートスイッチ８による操作に応じた操作行為伝達機構５６０を説明するための断面図である。
【０１０３】
まず、図６に示すように、操作行為伝達機構５６０は、上述した操作行為伝達機構５２０と同様に、操作行為伝達手段である流体５６０ａを収容する導管５６１と、その流体５６０ａの移動によってスタートスイッチ８による操作行為を検知する検知スイッチ５９０とを備えている。
【０１０４】
導管５６１の胴体部５６１ａの一端側には流体５６０ａを圧送する流体圧送部５７０が設けられ、その胴体部５６１ａの他端側には圧送された流体５６０ａを受ける流体圧受部５８０が設けられている。なお、流体５６０ａは上記同様に、非導電性材料よりなるものとし、導管５６１も上記同様に、樹脂等の非導電性部材により構成することができる。また、導管５６１内部の流体５６０ａにあっては、上記同様に、液体や気体であってもよい。
【０１０５】
これにより、上記同様に、導管５６１へのボーナス（ＢＢ：ビックボーナス、ＲＢ：レギュラーボーナス）等の入賞を誘発させるための特殊な電波等によるノイズ信号の進入が無くなる。また、上記同様に、導管５６１に不正基板（ぶら下がり基板と呼ばれている）が仕込まれても、スタートスイッチ８と検知スイッチ５９０との間が電気的に絶縁されているため、ボーナス（ＢＢ：ビックボーナス、ＲＢ：レギュラーボーナス）等の入賞が誘発されて、メダルが不正に抜き取られるような不正行為が行われることもない。しかも、上記同様に、特殊な電波等によるノイズ信号の進入が困難となることから、ノイズ信号による検知スイッチ５９０の誤動作が生じることもない。
【０１０６】
また、胴体部５６１ａは、上記同様に、断熱部材５６１ｂによって覆われている。胴体部５６１ａの一端側の流体圧送部５７０は、前面扉３の操作パネル部３Ｃの背面側にビス５７１を介して取り付けられたケース体５７２に収容されている。ケース体５７２の挿通穴５７３には導管５６１の胴体部５６１ａがシール部材５７４を介して挿通されている。これにより、上記同様に、ケース体５７２内部が密閉される。また、流体圧送部５７０がケース体５７２に収容されることで、上記同様に、外部から不正に流体圧送部５７０が操作されてしまうおそれも無くなる。なお、ケース体５７２は上記同様に、断熱性を有するもので構成することができる。
【０１０７】
また、流体圧送部５７０には、弁５７５が収容されている。弁５７５には、スタートスイッチ８の操作ノブ８ａの操作に応じて押圧力を与える押圧部材８０が当接している。
【０１０８】
ここで、スタートスイッチ８側の構成を説明すると、図７及び図８に示すように、操作ノブ８ａの軸部８１に球状の軸受部８２が取り付けられている。軸受部８２のネジ穴８３には、上述した押圧部材８０を取り付けている連結部材８４のネジ軸部８４ａが螺着されている。
【０１０９】
また、軸受部８２は、前面扉３の操作パネル部３Ｃのネジ穴３ａに装着される２分割構成の保持部材８５ａ，８５ｂの保持穴８５ｃに揺動自在に収容されている。また、軸受部８２の底部８２ａと保持部材８５ａ，８５ｂの底部８４ｂとの間にはバネ８６が装着されている。このバネ８６は、軸受部８２を外方向（押圧とは反対の方向）に付勢している。
【０１１０】
これにより、軸受部８２は、バネ８６による付勢力を受けつつ、保持部材８５ａ，８５ｂの保持穴８５ｃ内で外方向（押圧とは反対の方向）又は内方向（押圧方向）に移動自在となるとともに、上下左右方向並びに円周方向に揺動自在となる。その結果、スタートスイッチ８の操作ノブ８ａを内方向に押圧したり、上下左右方向に押し付けたり、円周方向に回したりすることで、スタートスイッチ８の操作ノブ８ａによる操作が可能となる。
【０１１１】
また、スタートスイッチ８の操作ノブ８ａによる操作に合わせ、上述した押圧部材８０が流体圧送部５７０の弁５７５を押し付け、流体圧送部５７０の内圧を高めるようになっている。
【０１１２】
一方、胴体部５６１ａの他端側の流体圧受部５８０は、上記同様に、筐体２のたとえば背面（背板）の空きスペースに配置されている。なお、流体圧受部５８０は、上記同様に、背面（背板）の空きスペースに限らず、筐体２の左右上下面（側板）のいずれかの空きスペースに配置されていてもよい。
【０１１３】
また、その流体圧受部５８０は、筐体２のたとえば背面（背板）にビス５８１を介して取り付けられたケース体５８２に収容されている。ケース体５８２の挿通穴５８３には導管５６１の胴体部５６１ａがシール部材５８４を介して挿通されている。これにより、上記同様に、ケース体５８２内部が密閉され、埃等の進入が阻止されるようになっている。また、流体圧受部５８０がケース体５８２に収容されることで、上記同様に、外部から不正に流体圧受部５８０が操作されてしまうおそれも無くなる。なお、ケース体５８２は上記同様に、断熱性を有するもので構成することができる。
【０１１４】
また、流体圧受部５８０には、上記同様に、ピストン軸５８５の一端に取り付けられた弁５８６が収容されている。弁５８６は、バネ５８７によって流体圧受部５８０内部に押し込まれる方向に付勢されている。
【０１１５】
ピストン軸５８５の他端は、ケース体５８２によって覆われるとともに、筐体２のたとえば背面（背板）に取り付けられた検知スイッチ５９０のスイッチ片５５１に当接している。ここで、検知スイッチ５９０は機械式となっているが、これに限らず、上記同様に、発光部及び受光部を有する光学式等の他のセンサであってもよい。
【０１１６】
このような構成では、図６に示したように、スタートスイッチ８の操作ノブ８ａを介しての操作が行われていないとき、上述した軸受部８２がバネ８６によって外方向（押圧とは反対の方向）に付勢されていることで、押圧部材８０による流体圧送部５７０の弁５７５への押し付けが無いことから、流体圧送部５７０からの流体圧送が生じないことになる。
【０１１７】
これに対し、図９に示すように、スタートスイッチ８の操作ノブ８ａをたとえば下方に押圧すると、軸受部８２がバネ８６による付勢力を受けつつ、保持部材８５ａ，８５ｂの保持穴８５ｃ内で揺動する。これに合わせて、押圧部材８０を取り付けている連結部材８４が傾き、さらに押圧部材８０が傾くことで、弁５７５が押し込まれ、流体圧送部５７０の内圧が高められる。これにより、胴体部５６１ａ内の流体５６０ａが矢印方向である流体圧受部５８０側に移動する。
【０１１８】
このとき、流体圧受部５８０の内圧が高められることで、ピストン軸５８５がバネ５８７の付勢力に抗して矢印方向に移動する。これに伴い、ピストン軸５８５の他端が検知スイッチ５９０側に移動し、そのスイッチ片５５１を押し込むことにより、検知スイッチ５９０がオンする。この検知スイッチ５９０のオンにより、スタートスイッチ８の操作ノブ８ａの操作行為が検知される。
【０１１９】
そして、スタートスイッチ８の操作ノブ８ａのたとえば下方への押圧を解くと、バネ８６の付勢力を受ける軸受部８２を介してその操作ノブ８ａが図６に示す定位置に戻される。このとき、押圧部材８０による弁５７５の押し込みが無くなるため、流体圧送部５３０の内圧上昇が無くなる。
【０１２０】
これにより、上記同様に、流体圧送部５３０から流体圧受部５４０への流体５６０ａの圧も無くなることで、ピストン軸５４５に取り付けられている弁５４６がバネ５４７の付勢力により押し戻される。このとき、ピストン軸５４５の他端が検知スイッチ５５０のスイッチ片５５１から離れることで、検知スイッチ５５０がオフする。
【０１２１】
また、上記同様に、ピストン軸５４５に取り付けられている弁５４６がバネ５４７の付勢力により押し戻されることで、流体圧受部５４０から流体圧送部５３０への流体５６０ａの圧が高まり、弁５７５が図６に示す定位置に戻される。
【０１２２】
このように、スタートスイッチ８の操作ノブ８ａによる操作行為は、上記同様に、流体圧送部５７０から流体圧受部５８０への流体５６０ａの圧の変化に応じた検知スイッチ５９０の検出で行われるため、スタートスイッチ８の操作ノブ８ａと検知スイッチ５９０との間は電気的に結合されていないことになる。そのため、上述したように、たとえば不正なプログラムが書き込まれている不正基板が操作行為伝達機構５６０に仕込まれても、その不正基板からの信号が操作行為伝達機構５６０を介して主制御基板３００側に伝達されることは無いので、メダルが不正に抜き取られるような不正行為が困難となる。
【０１２３】
なお、スタートスイッチ８の操作ノブ８ａを下方に押圧する以外に、上方、左右方向、さらには円周方向に操作しても同様にして検知スイッチ５９０がオンし、スタートスイッチ８の操作ノブ８ａの操作行為が検知される。
【０１２４】
また、スタートスイッチ８の操作ノブ８ａをたとえば水平方向にそのまま押し込んだ場合でも同様にして検知スイッチ５９０がオンし、スタートスイッチ８の操作ノブ８ａの操作行為が検知される。
【０１２５】
すなわち、図１０に示すように、軸受部８２がバネ８６による付勢力に抗し、保持部材８５ａ，８５ｂの保持穴８５ｃ内を水平に移動する。これに合わせて、連結部材８４が水平に押し込まれ、押圧部材８０の全面が弁５７５を押し付けることにより、流体圧送部５７０の内圧が高められる。
【０１２６】
そして、上記同様に、胴体部５６１ａ内の流体５６０ａが矢印方向である流体圧受部５８０側に移動することで、流体圧受部５８０側のピストン軸５８５がバネ５８７の付勢力に抗して矢印方向に移動し、スイッチ片５５１を押し込むことにより、検知スイッチ５９０がオンする。
【０１２７】
そして、スタートスイッチ８の操作ノブ８ａの水平方向の押し込みを解くと、上記同様に、バネ８６の付勢力を受ける軸受部８２を介してその操作ノブ８ａが図６に示す定位置に戻される。このとき、上記同様に、流体圧送部５３０の内圧上昇が無くなり、流体圧送部５３０から流体圧受部５４０への流体５６０ａの圧も無くなることで、ピストン軸５４５に取り付けられている弁５４６がバネ５４７の付勢力により押し戻され、ピストン軸５４５の他端が検知スイッチ５５０のスイッチ片５５１から離れることで、検知スイッチ５５０がオフする。
【０１２８】
このように、本実施例では、遊技に関わる操作手段としての各左リールストップスイッチ９０、中リールストップスイッチ９１、右リールストップスイッチ９２、スタートスイッチ８が筐体２に開閉自在に取り付けられている前面扉３に設けられ、各左リールストップスイッチ９０、中リールストップスイッチ９１、右リールストップスイッチ９２、スタートスイッチ８による操作行為を検知する検知手段としての検知スイッチ５５０，５９０が筐体２側に設けられ、各左リールストップスイッチ９０、中リールストップスイッチ９１、右リールストップスイッチ９２、スタートスイッチ８と検知スイッチ５５０，５９０との間に設けられている、操作行為伝達手段としての導管５２１，５６１に収容されている流体５２０ａ，５６０ａによって、各左リールストップスイッチ９０、中リールストップスイッチ９１、右リールストップスイッチ９２、スタートスイッチ８による操作行為が伝達されるようにした。
【０１２９】
この場合、検知スイッチ５５０，５９０が前面扉３から遠い位置に配置されるとともに、検知スイッチ５５０，５９０への操作行為の伝達が流体５２０ａ，５６０ａによって行われることにより、検知スイッチ５５０，５９０からの検知結果を出力する信号線への不正基板の仕込みや、操作行為伝達手段としての導管５２１，５６１へのボーナス（ＢＢ：ビックボーナス、ＲＢ：レギュラーボーナス）等の入賞を誘発させるための特殊な電波等によるノイズ信号の進入が困難となることから、前面扉３付近での不正基板が仕込まれての不正行為や、ノイズ信号による誤動作を確実に防止することができる。
【０１３０】
また、本実施例では、導管５２１，５６１に収容されている流体５２０ａ，５６０ａを非導電性材料により構成しているため、導管５２１，５６１への特殊な電波等によるノイズ信号の進入が阻止され、そのノイズ信号による誤動作を防止することができる。
【０１３１】
また、本実施例では、流体５２０ａ，５６０ａを収容する導管５２１，５６１を非導電性部材により構成し、さらに断熱部材５２１ｂ，５６１ｂによって覆うようにしているので、上記同様に、導管５２１，５６１への特殊な電波等によるノイズ信号の進入が阻止されるとともに、筐体２内部の温度が上昇しても、導管５２１，５６１に収容されている流体５２０ａ，５６０ａへ熱が伝わりにくくなり、流体５２０ａ，５６０ａの体積膨張等によって操作手段による検知スイッチ５５０，５９０への操作行為の伝達が誤って行われることも無くなる。
【０１３２】
また、本実施例では、たとえば流体圧送部５３０，５７０がケース体５３２，５７２に収容されるようにしているので、外部から不正に流体圧送部５３０，５７０が操作されてしまうおそれも無くなる。同様に、流体圧受部５４０，５８０がケース体５４２，５８２に収容されることで、外部から不正に流体圧受部５４０，５８０が操作されてしまうおそれも無くなる。
【０１３３】
また、本実施例でのスタートスイッチ８による操作は、その操作ノブ８ａを内方向に押圧したり、上下左右方向に押し付けたり、円周方向に回したりすることで行われるようにしているため、スタートスイッチ８の操作ノブ８ａによる操作の自由度を高めることができる。
【産業上の利用可能性】
【０１３４】
スロットマシンに限らず、パチンコ機、ピンボールゲーム機、アレンジボールゲーム機、じゃん球といった他の遊技機にも適用可能である。
【図面の簡単な説明】
【０１３５】
【図１】本発明の遊技機である回胴式遊技装置の一実施例を示す正面図である。
【図２】図１の遊技機のストップスイッチユニットを拡大して示す正面図である。
【図３】図１の遊技機の内部を示す正面図である。
【図４】図３の操作行為伝達機構における、各左リールストップスイッチ、中リールストップスイッチ、右リールストップスイッチによる操作行為の伝達が行われる前の状態を示す断面図である。
【図５】図３の操作行為伝達機構における、各左リールストップスイッチ、中リールストップスイッチ、右リールストップスイッチによる操作行為の伝達が行われた状態を示す断面図である。
【図６】図３の操作行為伝達機構における、スタートスイッチによっての操作行為の伝達が行われる前の状態を示す断面図である。
【図７】図６のＡ部分を拡大して示す断面図である。
【図８】図７のスタートスイッチを分解して示す斜視図である。
【図９】図３の操作行為伝達機構における、スタートスイッチによっての操作行為に応じた操作行為の伝達を説明するための断面図である。
【図１０】図３の操作行為伝達機構における、スタートスイッチによっての操作行為に応じた操作行為の伝達を説明するための断面図である。
【符号の説明】
【０１３６】
１  スロットマシン
２  筐体
３  前面扉
３Ｃ  操作パネル部
７，７ａ  ベットスイッチ
８  スタートスイッチ
８ａ  操作ノブ
９Ａ  ストップスイッチユニット
８０  押圧部材
８１  軸部
８２  軸受部
８４  連結部材
８４ａ  ネジ軸部
８５ａ，８５ｂ  保持部材
８５ｃ  保持穴
８６  バネ
９０  左リールストップスイッチ
９０ｂ  操作子
９１  中リールストップスイッチ
９２  右リールストップスイッチ
３００  主制御基板
４００  サブ制御基板
４１０  演出制御基板
５００  中央表示基板
５２０，５６０  操作行為伝達機構
５２０ａ，５６０ａ  流体
５２１，５６１  導管
５２１ａ，５６１ａ  胴体部
５２１ｂ，５６１ｂ  断熱部材
５３０，５７０  流体圧送部
５３２，５４２，５７２，５８２  ケース体
５３５，５８５  ピストン軸
５３６，５４６，５７６，５８６  弁
５４０，５８０  流体圧受部
５４５  ピストン軸
５４７，５８７  バネ
５５０，５９０  検知スイッチ
５５１  スイッチ片
６００  リール基板
【図１】
2010029252.tif 000003
【図２】
2010029252.tif 000004
【図３】
2010029252.tif 000005
【図４】
2010029252.tif 000006
【図５】
2010029252.tif 000007
【図６】
2010029252.tif 000008
【図７】
2010029252.tif 000009
【図８】
2010029252.tif 000010
【図９】
2010029252.tif 000011
【図１０】
2010029252.tif 000012